(57)【特許請求の範囲】
【請求項１】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信し、
前記ＵＥの前記Ｕプレーントラフィックが前記ＷＬＡＮへ移動すべきであることを認める第２の制御パケットを前記ＵＥから受信し、
前記ＵＥの前記Ｕプレーントラフィックが拡張型ノードＢ（ｅＮｏｄｅＢ）により前記ＵＥへ送信されていない一方で、制御プレーン（Ｃプレーン）トラフィックを前記ＵＥへ送信し、
前記ＵＥのセルラーネットワーク無線の間欠受信（ＤＲＸ）サイクル時間を最大値にセットするための第３の制御パケットを前記ＵＥへ送信する送受信機と、
前記送受信機が前記第２の制御パケットを受信することに応じて前記ＷＬＡＮへ前記ＵＥの前記Ｕプレーントラフィックをルーティングする回路と、を備えるｅＮｏｄｅＢ。
【請求項２】
前記第３の制御パケットは、更に、前記セルラーネットワーク無線のＤＲＸショートサイクルを無効にし、又は、前記セルラーネットワーク無線のＤＲＸ非活動時間を最小値にセットする、請求項１に記載のｅＮｏｄｅＢ。
【請求項３】
前記ｅＮｏｄｅＢは、周期的アップリンク（ＵＬ）制御チャネル（周期的ＵＬ制御チャネル）を前記ＵＥに割り当て、
前記送受信機は、更に、ＷＬＡＮリンクが機能していないことを示すスケジューリング要求（ＳＲ）パケット（ＳＲパケット）を前記ＵＥから受信し、
前記回路は、前記ＳＲパケットの受信に応じて、前記ｅＮｏｄｅＢにより割り当てられるＬＴＥ無線リソースへ前記ＵＥの前記Ｕプレーントラフィックをルーティングする、請求項１又は２に記載のｅＮｏｄｅＢ。
【請求項４】
前記周期的ＵＬ制御チャネルの周期性は、アクティブな進化型パケットシステム（ＥＰＳ）ベアラのサービスの品質要件により規定される最大の遅延より短いか、又はそれに等しい請求項３に記載のｅＮｏｄｅＢ。
【請求項５】
前記ｅＮｏｄｅＢは、専用ランダムアクセスプリアンブルを前記ＵＥへ割り当て、
前記送受信機は、更に、前記ＷＬＡＮと前記ＵＥとの間のＷＬＡＮリンクが機能していないことを示すスケジューリング要求（ＳＲ）パケット（ＳＲパケット）を前記ＵＥから受信し、
前記回路は、前記ＳＲパケットの受信に応じて、前記ｅＮｏｄｅＢにより割り当てられたＬＴＥ無線リソースへ、前記ＵＥのＵプレーントラフィックをルーティングする、請求項１又は２に記載のｅＮｏｄｅＢ。
【請求項６】
前記ＷＬＡＮのアクセスポイント（ＡＰ）及び前記ｅＮｏｄｅＢは、同じ場所に位置する、請求項１又は２に記載のｅＮｏｄｅＢ。
【請求項７】
前記送受信機は、更に、前記ＷＬＡＮと前記ＵＥとの間のＷＬＡＮリンクが機能していないことを示す媒体アクセス制御（ＭＡＣ）制御エレメント（ＣＥ）を有するスケジューリング要求（ＳＲ）パケットを前記ＵＥから受信する、請求項１又は２に記載のｅＮｏｄｅＢ。
【請求項８】
前記送受信機は、更に、前記ＷＬＡＮと前記ＵＥとの間のＷＬＡＮリンクが機能していないことを示す情報エレメント（ＩＥ）を有するＲＲＣメッセージを前記ＵＥから受信する、請求項１又は２に記載のｅＮｏｄｅＢ。
【請求項９】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信し、
前記ＵＥの前記Ｕプレーントラフィックが前記ＷＬＡＮへ移動すべきであることを認める第２の制御パケットを前記ＵＥから受信し、
前記ＵＥの前記Ｕプレーントラフィックが拡張型ノードＢ（ｅＮｏｄｅＢ）により前記ＵＥへ送信されていない一方で、制御プレーン（Ｃプレーン）トラフィックを前記ＵＥへ送信する送受信機と、
前記送受信機が前記第２の制御パケットを受信することに応じて前記ＷＬＡＮへ前記ＵＥの前記Ｕプレーントラフィックをルーティングする回路と、を備え、
前記ｅＮｏｄｅＢは、周期的アップリンク（ＵＬ）制御チャネルを前記ＵＥに割り当て、
前記送受信機は、更に、ＷＬＡＮリンクが機能していないことを示すスケジューリング要求（ＳＲ）パケット（ＳＲパケット）を前記ＵＥから受信し、
前記回路は、前記ＳＲパケットの受信に応じて、前記ｅＮｏｄｅＢにより割り当てられるＬＴＥ無線リソースへ前記ＵＥの前記Ｕプレーントラフィックをルーティングする、
ｅＮｏｄｅＢ。
【請求項１０】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信し、
前記ＵＥの前記Ｕプレーントラフィックが前記ＷＬＡＮへ移動すべきであることを認める第２の制御パケットを前記ＵＥから受信し、
前記ＵＥの前記Ｕプレーントラフィックが拡張型ノードＢ（ｅＮｏｄｅＢ）により前記ＵＥへ送信されていない一方で、制御プレーン（Ｃプレーン）トラフィックを前記ＵＥへ送信する送受信機と、
前記送受信機が前記第２の制御パケットを受信することに応じて前記ＷＬＡＮへ前記ＵＥの前記Ｕプレーントラフィックをルーティングするとともに、周期的アップリンク（ＵＬ）制御チャネル（周期的ＵＬ制御チャネル）を前記ＵＥに割り当てる回路と、を備え、
前記周期的ＵＬ制御チャネルの周期性は、アクティブな進化型パケットシステム（ＥＰＳ）ベアラのサービスの品質要件により規定される最大の遅延より短いか、又はそれに等しい、ｅＮｏｄｅＢ。
【請求項１１】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信し、
前記ＵＥの前記Ｕプレーントラフィックが前記ＷＬＡＮへ移動すべきであることを認める第２の制御パケットを前記ＵＥから受信し、
前記ＵＥの前記Ｕプレーントラフィックが拡張型ノードＢ（ｅＮｏｄｅＢ）により前記ＵＥへ送信されていない一方で、制御プレーン（Ｃプレーン）トラフィックを前記ＵＥへ送信する送受信機と、
前記送受信機が前記第２の制御パケットを受信することに応じて前記ＷＬＡＮへ前記ＵＥの前記Ｕプレーントラフィックをルーティングする回路と、を備え、
前記ｅＮｏｄｅＢは、専用ランダムアクセスプリアンブルを前記ＵＥへ割り当て、
前記送受信機は、更に、前記ＷＬＡＮと前記ＵＥとの間のＷＬＡＮリンクが機能していないことを示すスケジューリング要求（ＳＲ）パケット（ＳＲパケット）を前記ＵＥから受信し、
前記回路は、前記ＳＲパケットの受信に応じて、前記ｅＮｏｄｅＢにより割り当てられたＬＴＥ無線リソースへ、前記ＵＥの前記Ｕプレーントラフィックをルーティングする、
ｅＮｏｄｅＢ。
【請求項１２】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信する段階と、
前記ＵＥの前記Ｕプレーントラフィックが前記ＷＬＡＮへ移動すべきであると認める第２の制御パケットを前記ＵＥから受信する段階と、
前記ＵＥのＵプレーントラフィックが基地局により前記ＵＥへ送信されない一方で、制御プレーン（Ｃプレーン）トラフィックを前記ＵＥへ送信する段階と、
前記第２の制御パケットの受信に応じて前記ＷＬＡＮへ前記ＵＥのＵプレーントラフィックをルーティングする段階と、
前記ＵＥのＬＴＥ無線の間欠受信（ＤＲＸ）サイクル時間を最大値にセットする第３の制御パケットを前記ＵＥへ送信する段階とを備える方法。
【請求項１３】
前記第３の制御パケットを送信する段階は、前記ＬＴＥ無線のＤＲＸショートサイクルを無効にするか、又は前記ＬＴＥ無線のＤＲＸ非活動時間を最小値にセットするための前記第３の制御パケットを送信する段階を有する、請求項１２に記載の方法。
【請求項１４】
周期的アップリンク（ＵＬ）制御チャネル（周期的ＵＬ制御チャネル）を前記ＵＥへ割り当てる段階と、
前記ＵＥへのＷＬＡＮリンクが機能していないことを示すスケジューリング要求（ＳＲ）パケット（ＳＲパケット）を前記ＵＥから受信する段階と、
前記ＳＲパケットを受信することに応じて、ＬＴＥ無線リソースを前記ＵＥのＵプレーントラフィックに割り当てる段階と、
割り当てられた前記無線リソースへ前記ＵＥの前記Ｕプレーントラフィックをルーティングする段階と、
前記無線リソースを使用して、前記Ｕプレーントラフィックを前記ＵＥへ送信する段階と、を更に備える、請求項１２又は１３に記載の方法。
【請求項１５】
前記周期的ＵＬ制御チャネルの周期性は、アクティブな進化型パケットシステム（ＥＰＳ）ベアラのサービスの品質要件により規定される最大の遅延より短いかそれに等しい、請求項１４に記載の方法。
【請求項１６】
前記ＵＥに専用ランダムアクセスプリアンブルを割り当てる段階と、
前記ＷＬＡＮと前記ＵＥとの間のＷＬＡＮリンクが機能していないことを示すスケジューリング要求（ＳＲ）パケット（ＳＲパケット）を前記ＵＥから受信する段階と、
前記ＳＲパケットの受信に応じて、ＬＴＥ無線リソースを前記ＵＥのＵプレーントラフィックへ割り当てる段階と、
前記ＵＥの前記Ｕプレーントラフィックを割り当てられた前記無線リソースにルーティングする段階と、
前記無線リソースを使用して前記Ｕプレーントラフィックを前記ＵＥへ送信する段階とを更に備える、請求項１２又は１３に記載の方法。
【請求項１７】
前記ＷＬＡＮと前記ＵＥとの間のＷＬＡＮリンクが機能していないことを示す媒体アクセス制御（ＭＡＣ）制御エレメント（ＣＥ）を有するスケジューリング要求（ＳＲ）を前記ＵＥから受信する段階を更に備える、請求項１２又は１３に記載の方法。
【請求項１８】
前記ＷＬＡＮと前記ＵＥとの間のＷＬＡＮリンクが機能していないことを示す情報エレメント（ＩＥ）を有する、ＲＲＣメッセージを前記ＵＥから受信する段階を更に備える、請求項１２又は１３に記載の方法。
【請求項１９】
ユーザ機器（ＵＥ）のユーザプレーン（Ｕプレーン）トラフィック（Ｕプレーントラフィック）をワイヤレスローカルエリアネットワーク（ＷＬＡＮ）へ移動する第１の制御パケットを前記ＵＥへ送信する段階と、
前記ＵＥの前記Ｕプレーントラフィックが前記ＷＬＡＮへ移動すべきであることを認める第２の制御パケットを前記ＵＥから受信する段階と、
前記ＵＥの前記Ｕプレーントラフィックが送受信機により前記ＵＥへ送信されていない一方、制御プレーン（Ｃプレーン）トラフィックを前記ＵＥへ送信する段階と、
前記送受信機が前記第２の制御パケットを受信することに応じて、前記ＵＥの前記Ｕプレーントラフィックを前記ＷＬＡＮへルーティングする段階と、
前記ＵＥのＬＴＥ無線の間欠受信（ＤＲＸ）サイクル時間を最大値にセットする第３の制御パケットを前記ＵＥへ送信する段階と、
を有する動作をコンピュータに実行させる、プログラム。
【請求項２０】
前記ＬＴＥ無線のＤＲＸショートサイクルを無効にする、又は前記ＬＴＥ無線のＤＲＸ非活動時間を最小値にセットする第３の制御パケットを送信する段階を有する動作を前記コンピュータに更に実行させる請求項１９に記載のプログラム。
【請求項２１】
請求項１９又は２０に記載のプログラムを格納するコンピュータ可読記録媒体。
【発明の詳細な説明】
【技術分野】
【０００１】
［優先権の主張］
この国際特許出願は、２０１４年３月２７日に出願された米国特許出願第１４／２２７，９４３号に対する優先権の利益を主張し、これによりその全体が本明細書に参照により組み込まれる。
【０００２】
複数の例は、概してデバイス若しくはセルラーネットワークのトラフィックのオフロード又は省電力化に関する。より具体的には、複数の例は、セルラーネットワークリンク接続を維持し、又はデバイスのセルラーネットワーク無線を省電力化するよう構成する一方で、トラフィックをオフロードすることに関する。
【背景技術】
【０００３】
現在、デバイスの省電力化のメカニズム及びスケジューリング要求（ＳＲ）についてのアップリンク（ＵＬ）無線リソース割り当ては、ワイヤレスローカルエリアネットワーク（ＷＬＡＮ）のオフロードをする場合について最適化されない。
【図面の簡単な説明】
【０００４】
必ずしも縮尺通りには描かれていない図面において、同様の参照番号は、同様のコンポーネントを異なる複数の図で説明し得る。異なる文字の添え字を有する同様の参照番号は、同様のコンポーネントの異なる例を表してよい。図面は、本明細書に説明される様々な実施形態を概して例示の手段によって示しており、限定の手段によって示しているのではない。
【０００５】
【図１】１又は複数の実施形態に係るワイヤレスネットワークの例のブロック図を示す。
【０００６】
【図２】１又は複数の実施形態に係るトラフィックオフロードについての技術の例のフロー図を示す。
【０００７】
【図３】１又は複数の実施形態に係るワイヤレスデバイスの例のブロック図を示す。
【発明を実施するための形態】
【０００８】
本開示における複数の例は、概してデバイス又はセルラーネットワークのトラフィックのオフロード又は省電力化に関する。より具体的には、複数の例は、セルラーネットワーク無線リンク接続を維持し、又はデバイスのセルラーネットワーク無線を構成する一方で、トラフィックをオフロードすることに関する。
【０００９】
本開示の１又は複数の実施形態は、ＷＬＡＮ（例えばＷｉ−Ｆｉ（登録商標））デバイストラフィックのオフロードのシナリオに対するセルラーネットワーク（例えば、ロングタームエボリューション（ＬＴＥ）ネットワーク）についてのデバイスの省電力化を改善出来る。本開示の１又は複数の実施形態は、ＷＬＡＮからセルラーネットワークへの（又は逆）ハンドオーバ遅延時間の上限を維持することが出来る。そのような上限は、遅延に感応する応用形態（例えば、ビデオ会議、インターネットプロトコルにわたる音声（ＶｏＩＰ）、ビデオゲームのプレイ、又は同様のもの）について重要であり得る。
【００１０】
第３世代パートナーシッププロジェクト（３ＧＰＰ）リリース１２において、ＷＬＡＮへセルラーデバイスのトラフィックをオフロードするための技術に注目した「ＵＭＴＳ／ＬＴＥ  ＷＬＡＮ／３ＧＰＰ無線相互作用の検討」と呼ばれる検討項目が存在する。ＷＬＡＮへＬＴＥトラフィックをオフロードすることは、他の利益の中でも、デバイスのトラフィック要求を満たすシステム（例えば、セルラーネットワーク、ＷＬＡＮ、又はそれらの組み合わせ）の能力を増加すること又はセルラーネットワーク上のトラフィック負荷を削減する等の利益を有することが出来る。
【００１１】
セルラーネットワーク及びＷＬＡＮの相互作用は、セルラーネットワークデバイス（例えばユーザ機器（ＵＥ））上の省電力化を課題とし得る。省電力化をするための一方法は、セルラーネットワークに接続された無線の間欠受信（ＤＲＸ）を構成することにより省電力化することを含み得る。
【００１２】
１又は複数の実施形態において、トラフィック（例えばユーザプレーン（Ｕプレーン）トラフィック）は、セルラーネットワークからＷＬＡＮへオフロードされることが出来る。幾つかのデバイスのトラフィック（例えば制御プレーン（Ｃプレーン））は、デバイスをセルラーネットワークに接続された状態で維持するというように、セルラーネットワーク上で維持されることが出来る。基地局（例えばｅＮｏｄｅＢ）と、セルラーネットワークのサービングゲートウェイ（Ｓ−ＧＷ）との間のトラフィック（例えばＳ１ベアラ）フローは、トラフィックオフロードにより影響されないままであり続けることが出来、このトラフィックフローは、アクティブであり続けることが出来る。
【００１３】
図１は、１又は複数の実施形態に係るワイヤレスネットワークの例のブロック図を示す。ワイヤレスネットワーク１００は、基地局１０２、１若しくは複数のデバイス１０４Ａ、１０４Ｂ、１０４Ｃ若しくは１０４Ｄ、ＷＬＡＮ１０６、Ｓ−ＧＷ１０８、パケットゲートウェイ（Ｐ−ＧＷ）１１０、又はインターネット１１２を備えることが出来る。セルラーネットワークは、ＬＴＥネットワークであることが可能である。セルラーネットワークは、基地局１０２、Ｓ−ＧＷ１０８、Ｐ−ＧＷ１１０、又はインターネット１１２を含むことが出来る。基地局１０２は、ｅＮｏｄｅＢを含むことが出来る。基地局１０２は、スモールセルの基地局を含むことが出来る。デバイス１０４Ａ−Ｄは、ＷＬＡＮ１０６若しくは基地局１０２と通信可能なスマートフォン、携帯電話、タブレット、デスクトップコンピュータ、ラップトップコンピュータ、携帯情報端末（ＰＤＡ）又は他のデバイスのようなＵＥを含むことが出来る。ＷＬＡＮ１０６は、ワイヤレスフィデリティ（Ｗｉ−Ｆｉ（登録商標））ネットワーク又はアクセスポイントを含むことが出来る。
【００１４】
基地局１０２は、例えば、統合型スモールセル及びＷＬＡＮ（ＩＳＷ）ネットワークを生成するように、ＷＬＡＮ１０６と統合されることが出来る。基地局１０２及びＷＬＡＮ１０６は、例えば、基地局１０２及びＷＬＡＮ１０６を同じボックスに含むことにより、又は基地局１０２とＷＬＡＮ１０６を互いに非常に近接して配置し、基地局１０２とＷＬＡＮ１０６との間の有線（例えばイーサネット（登録商標））接続を提供することにより、同じ場所に位置することが可能である。
【００１５】
基地局１０２を介して受信されているデバイス１０４Ａ−Ｄからのトラフィックは、ＷＬＡＮ１０６へオフロードされることが出来る。デバイス１０４Ａ−ＤのＵプレーントラフィック（例えばデータ無線ベアラ（ＤＲＢ）トラフィック）は、例えば、トラフィックステアによって、ＷＬＡＮへオフロードされることが出来る。デバイス１０４Ａ−Ｄの制御トラフィック（例えば、Ｃプレーントラフィック又はシグナリングトラフィック）は、基地局１０２とデバイス１０４Ａ―Ｄとの間のようなセルラーネットワークリンク上にあり続けることが出来る。基地局１０２は、Ｓ１インタフェースのような、インタフェースにわたってＳ−ＧＷと通信することが出来る。従って、基地局１０２とデバイス１０４Ａ−Ｄとの間のセルラリンクにわたるデバイスＵプレーントラフィック活動は存在しなくともよいが、基地局１０２とＳ−ＧＷ１０８との間のＵプレーントラフィックはアクティブであり続けることが出来、その結果、デバイス１０４Ａ−Ｄが接続モード（例えば、「ＲＲＣ接続」モード）のままであることが出来、Ｓ１ベアラがアクティブであり続けることが出来る。
【００１６】
基地局１０２は、例えば、制御パケットをデバイス１０４Ａ−Ｄに送信することにより、デバイス１０４Ａ−Ｄ（例えば、図３における無線機３３０）の無線のＤＲＸサイクルを構成することが出来る。１又は複数の実施形態において、例えば、物理ダウンリンク制御チャネル（ＰＤＣＣＨ）（例えば、拡張型ＰＤＣＣＨ（ＥＰＤＣＣＨ））をモニタするデバイス１０４Ａ−Ｄの複数のインスタンスの間の時間を増加すべく、ＤＲＸサイクルは、許容出来る最大値に設定されることが出来る。ＤＲＸサイクル時間は、秒の単位であることが出来る。ＰＤＣＣＨ又はＥＰＤＣＣＨを監視することの間の時間の増加により、デバイス１０４Ａ−Ｄは省電力化出来る。
【００１７】
デバイス１０４Ａ−ＤとＷＬＡＮ１０６との間の通信リンクは、無認可スペクトルで動作出来、ＷＬＡＮ無線リンクが機能不全を生じないよう、リンクはいつでも利用不可能になることが出来る。デバイス１０４Ａ−Ｄへほぼ連続的、又は中断されないサービスの提供をすべく、Ｕプレーントラフィックは、基地局１０２に戻るように移動されることが出来る。デバイス１０４Ａ−Ｄの無線のＤＲＸスリープサイクルの間にＷＬＡＮ１０６及びデバイス１０４Ａ−Ｄ通信リンクの機能不全が起こる場合（例えば、デバイス１０４Ａ−ＤがＰＤＣＣＨをモニタしていない場合）、問題になり得る。
【００１８】
以前に言及されたように、増加したＤＲＸサイクル時間は省電力化を達成出来る。省電力化を最大化すべく、ＤＲＸサイクル時間は、可能な最大の値に設定されるべきである。アップリンク（ＵＬ）トラフィックに対し、デバイス１０４Ａ−Ｄは、無線ＤＲＸスリープサイクルの間でさえも起動出来、従って、ＤＲＸサイクル時間は、ＵＬトラフィックについての伝播（ａｉｒ）にわたる遅延に影響を与え得ないことに留意されたい。
【００１９】
デバイス１０４Ａ−Ｄは、例えば、周期的なリソースが同一の目的でデバイス１０４Ａ−Ｄへ割り当てられる場合、ＲＲＣ接続状態において、専用ＵＬ制御チャネルを使用してスケジューリング要求（ＳＲ）を送信出来る。他の複数の実施形態において、デバイス１０４Ａ−Ｄは、ＳＲを送信すべくランダムアクセス処理を開始することが可能であるが、これは時間がかかるものであり得る。ＳＲに対して、デバイス１０４Ａ−Ｄへの頻繁なＵＬリソース割り当ては、ＵＬトラフィックに対し伝播にわたって遅延を減少することが出来るが、ＵＬリソースの潜在的な無駄のコストであり得る。
【００２０】
ＷＬＡＮ１０６リンクから基地局１０２リンクへのデバイス１０４Ａ−ＤのＵプレーントラフィックを移動することについてのハンドオーバ時間（例えば、トラフィックステア）レイテンシは、低減されることが出来る。ハンドオーバ時間レイテンシは、デバイス１０４Ａ−Ｄに周期的若しくは専用ＵＬ制御チャネル又は専用ランダムアクセスコード（プリアンブル）を提供することにより低減されることが出来る。ハンドオーバレイテンシの低減メカニズムは、例えば、他のものの中でもビデオ会議、ＶｏＩＰ、又はビデオゲームのプレイを含む遅延を感知する応用形態に対してのような、伝播にわたる最大の遅延の観点から特定されたサービスの品質（ＱｏＳ）要件を保証することを可能とすることが出来る。従って、統合型スモールセル及びＩＳＷネットワークにおいてのような、ＵプレーンＷＬＡＮトラフィックオフロードについて伝播にわたる最大の遅延を制限し、又はデバイス１０４Ａ−Ｄの省電力化を最大化するメカニズムは、実現されることが出来る。
【００２１】
要するに、デバイス１０４Ａ−Ｄがそのトラフィック全てをＷＬＡＮにオフロードされている場合、デバイスは、例えば「ＲＲＣ接続」状態においてのように、基地局に接続されたままであることが出来、Ｓ１ベアラは、アクティブであり続けることが出来る。長いＤＲＸサイクルは、例えば省電力化を増大すべく、デバイス１０４Ａ−Ｄのセルラーネットワーク無線のために構成されることが出来る。しかしながら、そのような省電力化ＤＲＸ設定は、各周期的な起動の前の時間に対し、デバイス１０４Ａ−Ｄをスリープ状態に維持する（例えば、ＰＤＣＣＨをモニタしない）ことが可能である。
【００２２】
基地局１０２は、周期的ＵＬセルラーネットワーク無線リソースをデバイス１０４Ａ−Ｄに割り当てることが出来、その結果、例えばＤＲＸスリープサイクルの間のように、デバイス１０４Ａ−Ｄは、ＷＬＡＮからセルラーネットワークへのハンドオーバがトリガされる場合、可能なＵＬトラフィックに対しスケジューリング要求（ＳＲ）及び制御メッセージ（例えばハンドオーバコマンド）を送信することが出来る。代替的に、基地局１０２は、ＷＬＡＮ１０６からセルラーネットワーク（例えば、基地局１０２）へのハンドオーバが、トリガされた場合、専用ランダムアクセス（ＲＡ）プリアンブルをデバイス１０４Ａ−Ｄに割り当てることが出来、これにより、デバイス１０４Ａ−Ｄは、ランダムアクセス手順（例えば競合のないランダムアクセス手順）を使用することが出来る。
【００２３】
Ｐ−ＧＷ１１０は、例えば、デバイス１０４Ａ−Ｄトラフィックについてのアクセスポイントを提供することによるように、デバイス１０４Ａ−Ｄに外部ネットワークへのアクセスを提供することが出来る。Ｐ−ＧＷ１１０は、デバイス１０４Ａ−Ｄにインターネット１１２上のデータへのアクセスを提供することが出来る。Ｐ−ＧＷ１１０は、セルラーネットワーク上のトラフィックに対しポリシの実施、又はパケットフィルタリングを提供することが出来る。
【００２４】
図２は、１又は複数の実施形態に係るデバイスのトラフィックをオフロードするための技術２００の例を示す。技術２００は、デバイス１０４Ａと基地局１０２との間の、デバイス１０４ＡとＷＬＡＮ１０６との間の、又は基地局１０２とＳ−ＧＷ１０８との間の通信を含むことが出来る。基地局１０２及びＷＬＡＮ１０６は、例えば、ＩＳＷ２２６を形成するように、同じ場所に位置付けられ又は統合されることが出来る。
【００２５】
２０２において、複数のＳ１ベアラは、基地局１０２とＳ−ＧＷ１０８との間で通信されることが出来る。２０４において、Ｕプレーントラフィックは、基地局１０２によりデバイス１０４Ａへ通信されることが出来る。２０６において、基地局１０２は、制御パケットをデバイス１０４Ａに送信することが出来る。制御パケットは、ＵプレーントラフィックをＷＬＡＮ１０６へ移動する命令を含むことが出来る。制御パケットは、ＲＲＣ再設定制御パケットを含むことが出来る。２０８において、デバイス１０４Ａは、肯定応答パケットを基地局１０２へ送信することが出来る。肯定応答パケットは、制御パケットであることが出来る。肯定応答パケットは、デバイス１０４ＡがＷＬＡＮ１０６からのＵプレーンデータを得るために必要とされる再設定を完了したかどうかを示すことが可能である。デバイス１０４Ａは、肯定応答パケットが送信される前ならいつでも、ＷＬＡＮへ結合されることが出来る。肯定応答パケットは、ＲＲＣ再設定完了制御パケットを含むことが出来る。
【００２６】
２１０において、Ｕプレーントラフィックは、例えば、ＵプレーンデータをＷＬＡＮ１０６へ（例えば、デジタル若しくはアナログスイッチ、バス、又は基地局１０２の他のルーティング回路のような回路を使用して）ルーティングすることによるように、基地局１０２からＷＬＡＮ１０６へオフロードされることが出来る。２１２において、ＷＬＡＮ１０６は、オフロードされたＵプレーンデータをデバイス１０４Ａへ送信することが出来る。２１４において、複数のＳ１ベアラは、Ｓ−ＧＷ１０８から送信され続けることが出来る（例えば、アクティブであり続けることが出来る）。セルラーネットワーク無線は、複数のＳ１ベアラがアクティブであり続けることが出来るので、アイドル状態（例えば、無線リソース制御（ＲＲＣ）アイドル状態に遷移するよりむしろ接続状態（例えば、ＲＲＣ接続状態）のままであることが出来る。
【００２７】
デバイス１０４ＡがそのＵプレーントラフィック全てをＷＬＡＮ１０６へオフロードした場合、基地局１０２は、デバイス１０４Ａのセルラーネットワーク無線をデバイス省電力状態に設定することが出来る。２１６において、制御パケットは、基地局１０２からデバイス１０４Ａへ送信されることが出来る。制御パケットは、ＲＲＣ再設定制御パケットを含むことが出来る。制御パケットは、デバイス１０４Ａのセルラーネットワーク無線のＤＲＸサイクル時間を設定することが出来る。制御パケットは、デバイス１０４Ａのセルラーネットワーク無線のＤＲＸをより短いオン持続時間を有するように、ショートＤＲＸサイクルを有さないように、又はより短いＤＲＸ非活動タイマを有するように設定することが出来る。従って、セルラーネットワーク無線は、（例えば、セルラーネットワーク無線が、接続状態にある一方で）省電力化（例えば、電力最適化がされた）状態において構成されたＤＲＸを含むことが出来る。最長ＤＲＸサイクル（現在の３ＧＰＰ３６．３３１スペックによれば２．５６秒）を伴う、より短いオン持続時間を伴う、ショートＤＲＸサイクルを伴わない、又は、最小のＤＲＸ非活動タイマを伴うＤＲＸ設定は、デバイス１０４Ａにおいて、省電力化を最大化することに役立つことが出来る。そのようなＤＲＸ設定の補助は、ＲＲＣアイドル状態におけるものと同様な省電力化を保証するのに役立つことが出来る。
【００２８】
制御パケットは、ＳＲについて周期的ＵＬリソース割り当てを含むことが出来、又は専用ＲＡプリアンブルを含むことが出来る。従って、デバイス１０４ＡへのＷＬＡＮ１０６のリンクが機能していない場合、ＵＥは、基地局１０２からのＵプレーントラフィックを受信することを開始すべく、それに割り当てられた周期的ＵＬリソースを使用出来、又は、専用ＲＡプリアンブルを使用出来る。
【００２９】
２１８において、ＷＬＡＮ１０６とデバイス１０４Ａとの間のリンクは、機能しないことがあり得る。２２０における制御パケットが送信された後で、リンクは、機能しないことがあり得ることに留意されたい。２２０において、デバイス１０４Ａは、制御パケットを基地局１０２へ送信することが出来る。制御パケットは、ＲＲＣ再設定完了制御パケットを含むことが出来る。制御パケットは、２１６において、制御パケットで示される再設定が完了されたことを示すことが出来る。制御パケットは、例えば、Ｕプレーントラフィックを基地局１０２に移動するような、Ｕプレーントラフィックをセルラーネットワークへ移動する命令を含むことが出来る。
【００３０】
ＳＲ要求に対する周期的ＵＬリソース又は専用ＲＡプリアンブルの割り当ては、ＷＬＡＮ１０６からセルラーネットワーク（例えば、基地局１０２）へのハンドオーバをトリガする場合の初期のチャネルアクセス遅延を減少するのに役立つことが出来る。そのような実施形態は、ＷＬＡＮからセルラーネットワークへのハンドオーバにおいて主要であり得る、時間がかかる競合ベースのＲＡプロセスを避けるのに役立つことが出来る。
【００３１】
周期的ＵＬリソース割り当ての周期性は、アクティブなＥＰＳベアラのＱｏＳ要件により判断されることが出来る。例えば、アクティブなＥＰＳベアラにより判断されるように、伝播にわたる最大の許容可能な遅延が１５０ｍｓである場合、ＵＬリソース割り当ての周期性は、１５０ｍｓより短くあり得る。
【００３２】
ＳＲに対する周期的ＵＬリソース割り当てに起因するオーバヘッドは、ＷＬＡＮオフロードなしでのデータ送信のために必要とされるＵＬリソースと比較した場合、正当化可能であり得る。基地局１０２が対応するトラフィックフローが終了したことを検出したことに応じて、基地局１０２は、周期的ＵＬ割り当てを取り消すことが出来る。
【００３３】
ＷＬＡＮリンクが機能不全の（すなわち、ＷＬＡＮからセルラーへのハンドオーバが要求された）場合、デバイス１０４Ａは、ＳＲを（例えば直ちに）送信出来る。基地局１０２は、このＳＲの受信をセルラーネットワークハンドオーバトリガへのＷＬＡＮとして解釈することが出来、デバイス１０４Ａのトラフィックセッションを継続すべく、セルラーネットワーク無線リソースを割り当てることが出来る。
【００３４】
代替的に、媒体アクセス制御（ＭＡＣ）制御エレメント（ＣＥ）は、ＷＬＡＮからセルラーネットワークへのハンドオーバを示すよう規定されることが出来る。そのようなＭＡＣ  ＣＥは、基地局１０２にＷＬＡＮリンクの機能不全を伝えるべく、ＳＲメッセージにおいて含まれることが出来る。ＷＬＡＮリンクの機能不全を示す情報エレメント（ＩＥ）を有するＲＲＣメッセージはまた、ＭＡＣ  ＣＥと同一の目的のために規定され、使用されることが出来る。
【００３５】
２２２において、Ｕプレーントラフィックは、デバイス１０４Ａにおいて受信されることが出来る。Ｕプレーントラフィックは基地局１０２により送信されることが出来る。２２４において、Ｓ１ベアラーは、Ｓ−ＧＷ１０８から基地局１０２へ送信されることが出来る。デバイスのトラフィックがセルラーネットワークリンクに戻るようにステアされた後、基地局１０２は、デバイス１０４Ａのセルラーネットワーク無線のＤＲＸ設定を既定、通常又は以前の設定に修正してよい。
【００３６】
図３は、１又は複数の実施形態に係る、有線又は無線デバイス３００の例のブロック図を示す。デバイス３００（例えば、機械）は、本明細書で説明される複数の技術（例えば、手順）のうちの１又は複数を実行すべく動作することが出来る。代替的な複数の実施形態において、デバイス３００は、スタンドアロンデバイスとして動作してよく、又は、基地局１０２、デバイス１０４Ａ−Ｄ、ＷＬＡＮ１０６、又はＳ−ＧＷ１０８のような他の機械に接続（例えばネットワーク接続）されてよい。デバイス３００は、本明細書で説明されるように、基地局１０２、デバイス１０４Ａ−Ｄ、ＷＬＡＮ１０６又はＳ−ＧＷ１０８の一部であることが出来る。ネットワーク接続の配置では、デバイス３００は、サーバクライアントネットワーク環境において、サーバ機械の機能で、クライアント機械の機能で、又はその両方で動作してよい。例において、デバイス３００は、ピアツーピア（Ｐ２Ｐ）（又は他の分散型）ネットワーク環境において、ピア機械として動作してよい。デバイス３００は、パーソナルコンピュータ（ＰＣ）、タブレットＰＣ、セットトップボックス（ＳＴＢ）、携帯情報端末（ＰＤＡ）、携帯電話、ウェブ機器、ネットワークルータ、スイッチ若しくはブリッジ、又は、基地局のような機械によってとられる複数のアクションを特定する（逐次又は別な方法の）複数の命令を実行可能な任意の機械であってよい。更に、単一の機械のみが示されたが、「機械」の用語は、本明細書で述べられた複数の手法のうちのいずれか１つ又は複数を実施するための複数の命令のセット（又は複数のセット）を個別又は共同に実行する、クラウドコンピューティング、ｓｏｆｔｗａｒｅ  ａｓ  ａ  ｓｅｒｖｉｃｅ（ＳａａＳ）、他のコンピュータクラスタ構成のような、複数の機械の任意の集合を含むようにも解されるべきである。
【００３７】
本明細書に説明されるように、複数の例は、ロジック又は多数のコンポーネント、モジュール又はメカニズムを含んでよく、又はその上で動作してよい。モジュールは、動作している場合、特定された動作を実行することが可能な有形のエンティティ（例えばハードウェア）である。モジュールは、ハードウェアを含む。例において、ハードウェアは、（例えば、ハードウェアに組み込まれた）特定の動作を実行するよう具体的に構成されてよい。例において、ハードウェアは、構成可能な実行ユニット（例えば、複数のトランジスタ、回路等）、及び、複数の命令を包含するコンピュータ可読媒体を有してよく、ここで複数の命令は、動作している場合、特定の動作を実行する実行ユニットを構成する。構成は、実行ユニット又はローディングメカニズムの指示の下で生じてよい。従って、デバイスが動作している場合、実行ユニットは、コンピュータ可読媒体に通信可能に結合される。この例において、実行ユニットは、１より多くのモジュールの集合であってよい。例えば、動作の下で、実行ユニットは、第１のセットの命令により、ある時点で第１のモジュールを実装するよう構成されてよく、第２のセットの命令により第２のモジュールを実装するよう再構成されてよい。
【００３８】
デバイス（例えば、コンピュータシステム）３００は、ハードウェアプロセッサ３０２（例えば、中央演算処理装置（ＣＰＵ）、グラフィックスプロセッシングユニット（ＧＰＵ）、ハードウェアプロセッサコア、又はそれらの任意の組み合わせ）、メインメモリ３０４及びスタティックメモリ３０６を含んでよく、それらの幾つか又は全てがインターリンク（例えばバス）３０８を介して互いに通信してよい。デバイス３００は、ディスプレイユニット３１０、英数字入力デバイス３１２（例えば、キーボード）、及びユーザインタフェース（ＵＩ）ナビゲーションデバイス３１４（例えばマウス）を更に含んでよい。例において、ディスプレイユニット３１０、入力デバイス３１２、及びＵＩナビゲーションデバイス３１４は、タッチスクリーンディスプレイであってよい。デバイス３００は、ストレージデバイス（例えばドライブユニット）３１６、信号生成デバイス３１８（例えばスピーカ）、ネットワークインタフェースデバイス３２０、及び全地球測位システム（ＧＰＳ）センサ、コンパス、加速度計又は他のセンサのような１又は複数のセンサ３２１を追加的に含んでよい。デバイス３００は、１又は複数の周辺デバイス（例えば、プリンタ、カードリーダ等）と通信又は制御するために、シリアル（例えば、ユニバーサルシリアルバス（ＵＳＢ））、パラレル又は他の有線若しくは無線（例えば、赤外線（ＩＲ）、近接場通信（ＮＦＣ）等）接続などの出力コントローラ３２８を含んでよい。デバイス３００は、１又は複数の無線機３３０（例えば、送信、受信、又は送受信機デバイス）を含んでよい。無線機３３０は、信号送信を受信すべく１又は複数のアンテナを含むことが出来る。無線機３３０は、プロセッサ３０２に結合されることが出来、又は含むことが出来る。プロセッサ３０２は、無線機３３０に１又は複数の送信動作又は受信動作を実行させることが出来る。無線機３３０をそのようなプロセッサに結合させることは、無線機３３０をそのような複数の動作を実行するよう構成することと考えられることが出来る。無線機３３０は、基地局又はセルラーネットワークの他のコンポーネントと通信するよう構成されるセルラーネットワーク無線機であることが出来る。
【００３９】
ストレージデバイス３１６は、機械可読媒体３２２を含み得、そこには、本明細書において説明された技術又は機能のうちの任意の１つ又は複数を具現化し、又はそれらにより利用される、複数のデータ構造又は複数の命令３２４（例えばソフトウェア）のうちの１又は複数の組が格納される。命令３２４はまた、完全に又は少なくとも部分的に、メインメモリ３０４内、スタティックメモリ３０６内、又はデバイス３００によるそれらの実行中にはハードウェアプロセッサ３０２内に存在してよい。例において、ハードウェアプロセッサ３０２、メインメモリ３０４、スタティックメモリ３０６、又はストレージデバイス３１６のうちの１つ又はそれらの任意の組み合わせは、機械可読媒体を構成してよい。
【００４０】
機械可読媒体３２２は単一の媒体として示されるが、「機械可読媒体」という用語は、１又は複数の命令３２４を格納するよう構成された単一の媒体又は複数の媒体（例えば、集中型又は分散型データベース、及び／又は関連付けられた複数のキャッシュ及び複数のサーバ）を含み得る。
【００４１】
用語「機械可読媒体」は、デバイス３００による実行のための、本開示の複数の技術のうちいずれか１つ又は複数をデバイス３００に実行させる複数の命令を格納、符号化若しくは搬送することが可能である、又は、そのような複数の命令によって使用される又はそのような複数の命令に関連する複数のデータ構造を格納、符号化又は搬送することが可能である、任意の媒体を含んでよい。非限定的な機械可読媒体の例は、複数のソリッドステートメモリ、並びに光及び磁気媒体を含んでよい。例において、大容量機械可読媒体は、静止質量を有する複数の粒子を伴う機械可読媒体を備える。大容量機械可読媒体の具体例は、半導体メモリデバイス（例えば、電気的プログラマブルリードオンリメモリ（ＥＰＲＯＭ）、電気的消去可能プログラマブルリードオンリメモリ（ＥＥＰＲＯＭ））及びフラッシュメモリデバイスのような不揮発性メモリ、内蔵ハードディスク及びリムーバブルディスクのような磁気ディスク、光磁気ディスク、並びにＣＤ−ＲＯＭ及びＤＶＤ−ＲＯＭディスクを有してよい。
【００４２】
命令３２４は、多数の転送プロトコル（例えばフレームリレー、インターネットプロトコル（ＩＰ）、送信制御プロトコル（ＴＣＰ）、ユーザデータグラムプロトコル（ＵＤＰ）、ハイパーテキスト転送プロトコル（ＨＴＴＰ）等）のうちの任意の１つを利用するネットワークインタフェースデバイス３２０を介して、送信媒体を用いて通信ネットワーク３２６にわたって更に送信され又は受信されてよい。例示の複数の通信ネットワークは、他の複数のものの中でも、ローカルエリアネットワーク（ＬＡＮ）、ワイドエリアネットワーク（ＷＡＮ）、パケットデータネットワーク（例えば、インターネット）、携帯電話ネットワーク（例えばセルラーネットワーク）、プレーンオールドテレフォン（ＰＯＴＳ）ネットワーク、及びワイヤレスデータネットワーク（例えば、Ｗｉ−Ｆｉ（登録商標）として知られる米国電気電子技術者協会（ＩＥＥＥ）８０２．１１ファミリーの規格、ＷｉＭａｘ（登録商標）として知られるＩＥＥＥ  ８０２．１６ファミリーの規格、ＩＥＥＥ８０２．１５．４ファミリーの規格、ピアツーピア（Ｐ２Ｐ）ネットワークを含み得る。例において、ネットワークインタフェースデバイス３２０は、通信ネットワーク３２６に接続すべく１若しくは複数の物理ジャック（例えば、イーサネット（登録商標）、同軸又は電話ジャック）、又は、１若しくは複数のアンテナを含んでよい。例において、ネットワークインタフェースデバイス３２０は、単入力多出力（ＳＩＭＯ）、多入力多出力（ＭＩＭＯ）、又は多入力単出力（ＭＩＳＯ）技術のうちの少なくとも１つを使用して無線で通信するための複数のアンテナを含んでよい。用語「送信媒体」は、デジタル又はアナログ通信信号を含み、デバイス３００による実行のために複数の命令を格納、符号化若しくは搬送することが可能である任意の無体物媒体、又はそのようなソフトウェアの通信を容易にする他の無体物媒体を含むものとして理解されなければならない。
【００４３】
［例及びノート］
本主題は、幾つかの例によって説明されてよい。
【００４４】
例１は、（１）ＷＬＡＮへデバイスのＵプレーントラフィックを移動する第１の制御パケットを、デバイス（例えばＵＥ）へ送信し、（２）デバイスのＵプレーントラフィックがＷＬＡＮへ移動すべきことを認める第２の制御パケットをデバイスから受信し、又は（３）Ｃプレーントラフィックをデバイスへ送信する一方で、デバイスのＵプレーントラフィックが基地局によりデバイスへ送信されないよう構成された送受信機を含む基地局（例えば、ｅＮｏｄｅＢ）を有する又は使用することが出来るような（装置、方法、動作を実行するための手段又は、デバイスにより実行された場合、デバイスに動作を実行させることが出来る命令を有するデバイスに可読なメモリのような）主題を備える又は使用することが出来る。例１の基地局は、送受信機が第２の制御パケットを受信することに応じて、デバイスのＵプレーントラフィックをＷＬＡＮへルーティングするよう構成された回路を有することが出来る。
【００４５】
例２は、送受信機は、デバイスの無線のＤＲＸサイクル時間を最大値にセットする第３の制御パケットを、デバイスへ送信するよう更に構成されるということを、含む又は使用するよう例１の主題を有し得若しくは使用し得、又は、オプション的に組み合わされ得る。
【００４６】
例３は、第３の制御パケットは、デバイスの無線のＤＲＸショートサイクルを無効にするか又はデバイスの無線のＤＲＸ非活動時間を最小値にセットするということを、含む又は使用するよう例２の主題を有し得若しくは使用し得、又は、オプション的に組み合わされ得る。
【００４７】
例４は、基地局は、周期的ＵＬ制御チャネルをデバイスに割り当てるよう構成され、送受信機は、ＷＬＡＮリンクが機能していないことを示すＳＲパケットをデバイスから受信するよう更に構成され、又は、回路は、ＳＲパケットを受信することに応じて、基地局により割り当てられるセルラーネットワーク無線リソースへデバイスのＵプレーントラフィックをルーティングするよう構成されるということを、含む又は使用するよう例１−３のうちの少なくとも１つの主題を有し得若しくは使用し得、又はオプション的に組み合わされることが出来る。
【００４８】
例５は、周期的ＵＬ制御チャネルの周期性は、アクティブなＥＰＳベアラのサービスの品質要件により規定される最大の遅延より少ないか、又はそれに等しいということを、含む又は使用するよう例４の主題を有し得若しくは使用し得、又はオプション的に組み合わされることが出来る。
【００４９】
例６は、基地局は、専用ランダムアクセスプリアンブルをデバイスに割り当てるよう構成され、又は送受信機は、ＷＬＡＮとデバイスとの間のＷＬＡＮリンクが機能していないことを示すＳＲパケットをデバイスから受信するよう更に構成され、又は、回路は、ＳＲパケットを受信することに応じて、基地局により割り当てられるセルラーネットワーク無線リソースへデバイスのＵプレーントラフィックをルーティングするよう構成されるということを、含む又は使用するよう例１−５の少なくとも１つの主題を有し得若しくは使用し得、又はオプション的に組み合わされることが出来る。
【００５０】
例７は、ＷＬＡＮの基地局及びアクセスポイント（ＡＰ）は、同じ場所に位置付けられるということを、含む又は使用するよう例１−６のうちの少なくとも１つの主題を有し得若しくは使用し得、又は、オプション的に組み合わされ得る。
【００５１】
例８は、送受信機は、ＷＬＡＮとデバイスとの間のＷＬＡＮリンクが機能していないことを示す、ＭＡＣ  ＣＥを含むＳＲをデバイスから受信するよう更に構成されるということを、含む又は使用するよう例１−７のうちの少なくとも１つの主題を有し得若しくは使用し得、又は、オプション的に組み合わされ得る。
【００５２】
例９は、送受信機は、ＷＬＡＮとデバイスとの間のＷＬＡＮリンクが機能していないことを示す、情報エレメント（ＩＥ）を含むＲＲＣメッセージをデバイスから受信するよう更に構成されるということを、含む又は使用するよう例１−８のうちの少なくとも１つの主題を有し得若しくは使用し得、又は、オプション的に組み合わされ得る。
【００５３】
例１０は、（１）ＷＬＡＮへデバイスのＵプレーントラフィックを移動することを要求する第１の制御パケットを、デバイス（例えばＵＥ）へ送信する段階、（２）デバイスのＵプレーントラフィックがＷＬＡＮへ移動すべきことを認める第２の制御パケットをデバイスから受信する段階、又は（３）基地局によりＣプレーントラフィックをデバイスへ送信する一方で、デバイスのＵプレーントラフィックがデバイスへ送信されてない段階を有する又は使用することが出来るような（装置、方法、動作を実行するための手段又は、デバイスにより実行された場合、デバイスに動作を実行させることが出来る命令を有するデバイスに可読なメモリのような）主題を備える又は使用することが出来る。
【００５４】
例１１は、第２の制御パケットの受信に応じてデバイスのＵプレーントラフィックをＷＬＡＮへルーティングすることを、含む又は使用するよう例１０の主題を有し得若しくは使用し得、又は、オプション的に組み合わされ得る。
【００５５】
例１２は、デバイスのセルラーネットワーク（例えばＬＴＥ）無線のＤＲＸサイクル時間を最大値にセットする第３の制御パケットをデバイスに送信することを、含む又は使用するよう例１１の主題を有し得若しくは使用し得、又は、オプション的に組み合わされ得る。
【００５６】
例１３は、第３の制御パケットを送信する段階は、セルラーネットワーク無線のＤＲＸショートサイクルを無効化し、又はセルラーネットワーク無線のＤＲＸ非活動時間を最小値にセットする第３の制御パケットを送信する段階を、含む又は使用するよう例１２の主題を有し得若しくは使用し得、又は、オプション的に組み合わされ得る。
【００５７】
例１４は、（１）周期的ＵＬ制御チャネルをデバイスに割り当てる段階、（２）デバイスへのＷＬＡＮリンクが機能していないことを示すＳＲパケットをデバイスから受信する段階、（３）ＳＲパケットを受信することに応じて、セルラーネットワーク無線リソースをデバイスＵプレーントラフィックに役立てるよう割り当てる段階、（４）ＵＥのＵプレーントラフィックを割り当てられた無線リソースへルーティングする段階、又は（５）無線リソースを使用して、ＵプレーントラフィックをＵＥへ送信する段階を、含む又は使用するよう例１０−１３のうちの少なくとも１つの主題を有し得若しくは使用し得、又は、オプション的に組み合わされ得る。
【００５８】
例１５は、周期的ＵＬ制御チャネルの周期性は、アクティブなＥＰＳベアラのサービスの品質要件により規定される最大の遅延より小さいか、又はそれに等しいことを、含む又は使用するよう例１０−１４のうちの少なくとも１つの主題を有し得若しくは使用し得、又は、オプション的に組み合わされ得る。
【００５９】
例１６は、（１）専用ランダムアクセスプリアンブルをデバイスに割り当てる段階、（２）ＷＬＡＮとデバイスとの間のＷＬＡＮリンクが機能していないことを示すＳＲパケットをデバイスから受信する段階、（３）ＳＲパケットを受信することに応じて、セルラーネットワーク無線リソースをサービスデバイスＵプレーントラフィックに割り当てる段階、（４）ＵＥのＵプレーントラフィックを割り当てられた無線リソースへルーティングする段階、又は（５）無線リソースを使用して、ＵプレーントラフィックをＵＥへ送信する段階を、含む又は使用するよう例１０−１４のうちの少なくとも１つの主題を有し得若しくは使用し得、又は、オプション的に組み合わされ得る。
【００６０】
例１７は、ＷＬＡＮとデバイスとの間のＷＬＡＮリンクが機能していないことを示すＭＡＣ  ＣＥを有するＳＲをデバイスから受信する段階を、含む又は使用するよう例１０−１６の主題を有し得若しくは使用し得、又は、オプション的に組み合わされ得る。
【００６１】
例１８は、ＷＬＡＮとデバイスとの間のＷＬＡＮリンクが機能していないことを示すＩＥを有するＲＲＣメッセージをデバイスから受信する段階を、含む又は使用する例１０−１６の主題を有し得若しくは使用し得、又は、オプション的に組み合わされ得る。
【００６２】
上記の詳細な説明は、詳細な説明の一部を形成する添付の複数の図面の参照を含む。図面は、例示の手段により、本明細書で説明される方法、装置、及びシステムが実施されることが出来る特定の実施形態を示す。これらの実施形態はまた、本明細書において複数の「例」と呼ばれる。そのような複数の例は、示され又は説明されたものに加えて、複数の要素を含むことが出来る。しかしながら、本発明者らは、これらの示され又は説明された複数の要素のみが提供される例も想定している。更に、本発明者らは、本明細書に示され又は説明された特定の例（若しくはそれらの１又は複数の態様）に関して、又は他の複数の例（若しくはそれらの１又は複数の態様）に関して、これらの示され又は説明された複数の要素（若しくはそれらの１又は複数の態様）の任意の組み合わせ又は置換を用いる例も想定している。
【００６３】
この明細書において、特許明細書において共通するように、用語「１の」又は「ある」は、「少なくとも１つ」又は「１又は複数」の使用又は任意の複数の他の例とは独立に、「１又は１より大きい」を含むように使用される。本明細書において、別段の指示がない限り、用語「又は」は、「Ａ又はＢ」が、「ＡであるがＢでない」、「ＢであるがＡでない」、及び「Ａ及びＢ」を含むというような、非排他的な「又は」のことを言及するために使用される。本明細書において、用語「含む（ｉｎｃｌｕｄｉｎｇ）」及び「ここで（ｉｎ  ｗｈｉｃｈ）」という用語は、「備える（ｃｏｍｐｒｉｓｉｎｇ）」及び「ここで（ｗｈｅｒｅｉｎ）」というそれぞれの用語の平易な英語による等価物として使用される。また、以下の請求項においては、「含む（ｉｎｃｌｕｄｉｎｇ）」及び「備える（ｃｏｍｐｒｉｓｉｎｇ）」という用語はオープンエンド形式である。すなわち、ある請求項で、そのような用語の後に列挙されているものに加えて、複数の要素を含むシステム、デバイス、物品、構成物、製法又は処理はなおもその請求項の範囲内に含まれるものとみなされる。更に、以下の特許請求の範囲において、用語「第１」、「第２」、及び「第３」等の用語は、単に符号として使用されているのであって、これらの対象物に数的な要件を課すことが意図されているのではない。
【００６４】
本明細書で使用されるように、参照番号を参照する場合に使用される「−」（ダッシュ）は、ダッシュにより示された範囲内の全ての要素の以前の段落において説明された非排他的意味での「又は」を意味する。例えば、１０３Ａ−Ｂは、｛１０３Ａ，１０３Ｂ｝の範囲の複数の要素の非排他的な「又は」を意味しており、その結果、１０３Ａ−１０３Ｂは、「１０３Ａであるが、１０３Ｂでない」、「１０３Ｂであるが１０３Ａでない」、並びに「１０３Ａ及び１０３Ｂ」を含む。
【００６５】
上記の説明は例示的であることを意図しており、限定的であることを意図していない。例えば、上述の複数の例（又は、それらの１若しくは複数の態様）は、互いに組み合わせて使用されてよい。他の実施形態は、当業者などが上記の説明を検討する際に使用され得る。要約書は、読者が技術的開示の本質を速やかに確認することを可能にすべく、３７Ｃ．Ｆ．Ｒ．§１．７２（ｂ）に準拠して提供される。要約書は、特許請求の範囲の範囲又は意味を解釈又は限定すべく使用されるのではないという理解のもとで提出される。また、上記の詳細な説明において、様々な特徴は、本開示を簡素化すべく、共にグループ化されてよい。これは、特許請求の範囲に記載されていない開示された特徴が、いずれの請求項においても不可欠であることを意図するものとして解釈されるべきではない。むしろ、発明の主題は、特定の開示された実施形態の全ての特徴より少ないところにあってよい。従って、以下の特許請求の範囲は、これにより複数の例又は実施形態として、詳細な説明に組み込まれ、各々の請求項は別個の実施形態として独立に成立し、そのような実施形態は、様々な組み合わせ又は置換において互いに組み合わされることが出来ることが想定される。発明の範囲は、そのような特許請求の範囲が権利を与えられる均等物の全範囲と共に、添付の特許請求の範囲を参照して決定されるべきである。
本明細書によれば、以下の各項目に記載の構成もまた開示される。
［項目１］
ユーザ機器（ＵＥ）のユーザプレーン（Ｕプレーン）トラフィックをワイヤレスローカルエリアネットワーク（ＷＬＡＮ）へ移動する第１の制御パケットを前記ＵＥへ送信し、
前記ＵＥの前記Ｕプレーントラフィックが前記ＷＬＡＮへ移動すべきであることを認める第２の制御パケットを前記ＵＥから受信し、
前記ＵＥの前記Ｕプレーントラフィックが拡張型ノードＢ（ｅＮｏｄｅＢ）により前記ＵＥへ送信されていない一方で、制御プレーン（Ｃプレーン）トラフィックを前記ＵＥへ送信する送受信機と、
前記送受信機が前記第２の制御パケットを受信することに応じて前記ＷＬＡＮへ前記ＵＥのＵプレーントラフィックをルーティングする回路と、を備えるｅＮｏｄｅＢ。
［項目２］
前記送受信機は、更に、前記ＵＥのセルラーネットワーク無線の間欠受信（ＤＲＸ）サイクル時間を最大値にセットするための第３の制御パケットを前記ＵＥへ送信する、請求項１に記載のｅＮｏｄｅＢ。
［項目３］
前記第３の制御パケットは、更に、前記セルラーネットワーク無線のＤＲＸショートサイクルを無効にし、又は、前記セルラーネットワーク無線のＤＲＸ非活動時間を最小値にセットする、請求項２のｅＮｏｄｅＢ。
［項目４］
前記ｅＮｏｄｅＢは、周期的アップリンク（ＵＬ）制御チャネルを前記ＵＥに割り当て、
前記送受信機は、更に、ＷＬＡＮリンクが機能していないことを示すスケジューリング要求（ＳＲ）パケットを前記ＵＥから受信し、
前記回路は、前記ＳＲパケットの受信に応じて、前記ｅＮｏｄｅＢにより割り当てられるＬＴＥ無線リソースへ前記ＵＥの前記Ｕプレーントラフィックをルーティングする、請求項１から３のいずれか一項に記載のｅＮｏｄｅＢ。
［項目５］
前記周期的ＵＬ制御チャネルの周期性は、アクティブな進化型パケットシステム（ＥＰＳ）ベアラのサービスの品質要件により規定される最大の遅延より短いか、又はそれに等しい請求項４に記載のｅＮｏｄｅＢ。
［項目６］
前記ｅＮｏｄｅＢは、専用ランダムアクセスプリアンブルを前記ＵＥへ割り当て、
前記送受信機は、更に、前記ＷＬＡＮと前記ＵＥとの間のＷＬＡＮリンクが機能していないことを示すスケジューリング要求（ＳＲ）パケットを前記ＵＥから受信し、
前記回路は、前記ＳＲパケットの受信に応じて、前記ｅＮｏｄｅＢにより割り当てられたＬＴＥ無線リソースへ、前記ＵＥのＵプレーントラフィックをルーティングする、請求項１から３のいずれか一項に記載のｅＮｏｄｅＢ。
［項目７］
前記ＷＬＡＮのアクセスポイント（ＡＰ）及び前記ｅＮｏｄｅＢは、同じ場所に位置する、請求項１から３のいずれか一項に記載のｅＮｏｄｅＢ。
［項目８］
前記送受信機は、更に、前記ＷＬＡＮと前記ＵＥとの間のＷＬＡＮリンクが機能していないことを示す媒体アクセス制御（ＭＡＣ）制御エレメント（ＣＥ）を有するスケジューリング要求（ＳＲ）パケットを前記ＵＥから受信する、請求項１から３のいずれか一項に記載のｅＮｏｄｅＢ。
［項目９］
前記送受信機は、更に、前記ＷＬＡＮと前記ＵＥとの間のＷＬＡＮリンクが機能していないことを示す情報エレメント（ＩＥ）を有するＲＲＣメッセージを前記ＵＥから受信する、請求項１から３のいずれか一項に記載のｅＮｏｄｅＢ。
［項目１０］
ユーザ機器（ＵＥ）のユーザプレーン（Ｕプレーン）トラフィックをワイヤレスローカルエリアネットワーク（ＷＬＡＮ）へ移動する第１の制御パケットを前記ＵＥへ送信する段階と、
前記ＵＥの前記Ｕプレーントラフィックが前記ＷＬＡＮへ移動すべきであると認める第２の制御パケットを前記ＵＥから受信する段階と、
前記ＵＥのＵプレーントラフィックが基地局により前記ＵＥへ送信されない一方で、制御プレーン（Ｃプレーン）トラフィックを前記ＵＥへ送信する段階と、
前記第２の制御パケットの受信に応じて前記ＷＬＡＮへ前記ＵＥのＵプレーントラフィックをルーティングする段階と、
前記ＵＥのＬＴＥ無線の間欠受信（ＤＲＸ）サイクル時間を最大値にセットする第３の制御パケットを前記ＵＥへ送信する段階とを備える方法。
［項目１１］
前記第３の制御パケットを送信する段階は、前記ＬＴＥ無線のＤＲＸショートサイクルを無効にするか、又は前記ＬＴＥ無線のＤＲＸ非活動時間を最小値にセットするための前記第３の制御パケットを送信する段階を有する、請求項１０に記載の方法。
［項目１２］
周期的アップリンク（ＵＬ）制御チャネルを前記ＵＥへ割り当てる段階と、
前記ＵＥへのＷＬＡＮリンクが機能していないことを示すスケジューリング要求（ＳＲ）パケットを前記ＵＥから受信する段階と、
前記ＳＲパケットを受信することに応じて、ＬＴＥ無線リソースをサービスＵＥ  Ｕプレーントラフィックに割り当てる段階と、
割り当てられた前記無線リソースへ前記ＵＥの前記Ｕプレーントラフィックをルーティングする段階と、
前記無線リソースを使用して、前記Ｕプレーントラフィックを前記ＵＥへ送信する段階と、を更に備える、請求項１０又は１１に記載の方法。
［項目１３］
前記周期的ＵＬ制御チャネルの周期性は、アクティブな進化型パケットシステム（ＥＰＳ）ベアラのサービスの品質要件により規定される最大の遅延より短いかそれに等しい、請求項１２に記載の方法。
［項目１４］
前記ＵＥに専用ランダムアクセスプリアンブルを割り当てる段階と、
前記ＷＬＡＮと前記ＵＥとの間のＷＬＡＮリンクが機能していないことを示すスケジューリング要求（ＳＲ）パケットを前記ＵＥから受信する段階と、
前記ＳＲパケットの受信に応じて、ＬＴＥ無線リソースをサービスＵＥ  Ｕプレーントラフィックへ割り当てる段階と、
前記ＵＥの前記Ｕプレーントラフィックを割り当てられた前記無線リソースにルーティングする段階と、
前記無線リソースを使用して前記Ｕプレーントラフィックを前記ＵＥへ送信する段階とを更に備える、請求項１３に記載の方法。
［項目１５］
前記ＷＬＡＮと前記ＵＥとの間のＷＬＡＮリンクが機能していないことを示す媒体アクセス制御（ＭＡＣ）制御エレメント（ＣＥ）を有するスケジューリング要求（ＳＲ）を前記ＵＥから受信する段階を更に備える、請求項１０又は１１に記載の方法。
［項目１６］
前記ＷＬＡＮと前記ＵＥとの間のＷＬＡＮリンクが機能していないことを示す情報エレメント（ＩＥ）を有する、ＲＲＣメッセージを前記ＵＥから受信する段階を更に備える、請求項１０又は１１に記載の方法。
［項目１７］
ユーザ機器（ＵＥ）のユーザプレーン（Ｕプレーン）トラフィックをワイヤレスローカルエリアネットワーク（ＷＬＡＮ）へ移動する第１の制御パケットを前記ＵＥへ送信する段階と、
前記ＵＥの前記Ｕプレーントラフィックが前記ＷＬＡＮへ移動すべきであることを認める第２の制御パケットを前記ＵＥから受信する段階と、
前記ＵＥのＵプレーントラフィックが送受信機により前記ＵＥへ送信されていない一方、制御プレーン（Ｃプレーン）トラフィックを前記ＵＥへ送信する段階とを有する動作をコンピュータに実行させる、プログラム。
［項目１８］
前記送受信機が前記第２の制御パケットを受信することに応じて、前記ＵＥのＵプレーントラフィックを前記ＷＬＡＮへルーティングする段階を有する動作を前記コンピュータに更に実行させる、請求項１７に記載のプログラム。
［項目１９］
前記ＵＥのＬＴＥ無線の間欠受信（ＤＲＸ）サイクル時間を最大値にセットする第３の制御パケットを前記ＵＥへ送信する段階を有する動作を前記コンピュータに更に実行させる、請求項１８に記載のプログラム。
［項目２０］
前記ＬＴＥ無線のＤＲＸショートサイクルを無効にする、又は前記ＬＴＥ無線のＤＲＸ非活動時間を最小値にセットする第３の制御パケットを送信する段階を有する動作を前記コンピュータに更に実行させる請求項１９に記載のプログラム。
［項目２１］
請求項１７から２０のいずれか１項に記載のプログラムを格納するコンピュータ可読記録媒体。
【図１】
0006311193.tif 000002
【図２】
0006311193.tif 000003
【図３】
0006311193.tif 000004